(57)【特許請求の範囲】
【請求項１】
円周上に列設された磁極を有し、端部に咬合クラッチのクラッチ突起を備える出力回転手段を形成する磁極回転体と、前記磁極回転体と同一回転軸心で回転し、前記磁極と歯先が対向するように列設される歯形形状部を有し、前記磁極回転体と磁気吸引力によるトルクを伝達する歯形磁性体を備える低トルク入力手段を形成する継鉄回転体と、前記同一回転軸心で回転し、前記出力回転手段に設けたクラッチ突起と係合する咬合クラッチのクラッチ係合部を有する高トルク入力手段を備え、
前記クラッチ突起は磁性体からなり、前記クラッチ係合部は前記クラッチ突起が磁力によって吸着するクラッチ保持磁性体を有し、前記磁極回転体と前記低トルク入力手段間で伝達可能なトルクを上まわる負荷トルクが作用することで、前記クラッチ突起が前記クラッチ保持磁性体に吸着することを特徴とする負荷感応型磁気クラッチ装置。
【請求項２】
前記歯形磁性体の列の前記高トルク入力手段が配置された側の側方に、前記継鉄回転体に取着された中空円板状の側部磁性体を備え、前記高トルク入力手段の前記クラッチ係合部には、高トルク入力手段の正転時に前記クラッチ突起と係合する正転時トルク伝達側面と、逆転時に前記クラッチ突起と係合する逆転時トルク伝達側面を有することを特徴とする請求項１記載の負荷感応型磁気クラッチ装置。
【請求項３】
前記クラッチ保持磁性体は、前記正転時トルク伝達側面と逆転時トルク伝達側面の中間部に、前記クラッチ突起と前記クラッチ保持磁性体間の磁力による吸着力を減少する咬合クラッチ離脱部を有することを特徴とする請求項２記載の負荷感応型磁気クラッチ装置。
【請求項４】
前記咬合クラッチ離脱部は、クラッチ保持磁性体の中央部に設けられ、前記クラッチ突起とクラッチ保持磁性体との磁力による吸着力を低減するクラッチ離脱用傾斜面であることを特徴とする請求項３記載の負荷感応型磁気クラッチ装置。
【請求項５】
前記咬合クラッチ離脱部は、前記クラッチ突起と当接してクラッチ突起とクラッチ保持磁性体との磁力による吸着を離脱させる咬合クラッチ離脱用突起を有することを特徴とする請求項３記載の負荷感応型磁気クラッチ装置。
【請求項６】
前記クラッチ係合部は、前記正転時トルク伝達側面と前記クラッチ離脱部間、または逆転時トルク伝達側面と前記咬合クラッチ離脱部間のいずれか一方にのみ前記クラッチ保持磁性体を配置したことを特徴とする請求項１または２記載の負荷感応型磁気クラッチ装置。
【発明の詳細な説明】
【技術分野】
【０００１】
本発明は、2つの回転体間で磁気吸引力によって回転トルクを伝達する負荷感応型磁
気クラッチ装置に関する。
【背景技術】
【０００２】
2つの回転体間で磁気吸引力によって回転トルクを伝達する負荷感応型磁気クラッチ
装置において、磁気吸引力による伝達可能な回転トルクを上回る負荷トルクが作用したときに、回転体を回転軸方向に磁気吸引力の作用で自動的にスライド移動し、この回転体のスライド移動作用を利用して、負荷トルクの大小によって回転トルクの伝達経路を低負荷伝達経路と高負荷伝達経路に切り換える磁気クラッチ装置が本出願人によりすでに提案されている。（特許文献１）
【先行技術文献】
【特許文献】
【０００３】
【特許文献１】特願2010-189080号明細書
【発明の概要】
【発明が解決しようとする課題】
【０００４】
上記磁気クラッチ装置は、
出力回転手段と低トルク回転手段間に予め設定した値を超える負荷トルクが作用した場合に、出力回転手段をスライドすることで、出力回転手段を高トルク回転手段に係合し、高負荷伝達経路にトルク伝達経路を切換え、また、負荷トルクが磁極と側部磁性体間の磁気吸引力を下回ると、出力回転手段の磁極は低トルク回転手段の歯形磁性体と対向する位置に移動し、低負荷伝達経路にトルク伝達経路を切替えることができ、負荷トルクの増減に伴い磁気クラッチの切換を自動的に行うことができる構成のものであるが、
例えば、手動チェーンブロックに応用した場合では、荷の巻上げ操作時に、クラッチ部に加わる負荷トルクが、手動チェーンブロックに備わるメカニカルブレーキ（負荷作動ブレーキ）の作用によって減少することにより、低負荷伝達経路に切り換わるクラッチ戻りが発生するという課題を有していた。
【０００５】
本発明は、負荷感応型磁気クラッチにおいて、負荷トルクの伝達経路を低負荷伝達経路から高負荷伝達経路への切換え操作を迅速かつ確実に行うことができ、さらに、クラッチ部に加わる負荷の変動によりクラッチの負荷トルク伝達経路が高負荷伝達経路から低負荷伝達経路に切換わるクラッチ戻りの発生を防止できる負荷感応型磁気クラッチ装置を提供することを目的とする。
【課題を解決するための手段】
【０００６】
本発明は、上記課題を解決するもので、
円周上に列設された磁極を有し、端部に咬合クラッチのクラッチ突起を備える出力回転手段を形成する磁極回転体と、前記磁極回転体と同一回転軸心で回転し、前記磁極と歯先が対向するように列設される歯形形状部を有し、前記磁極回転体と磁気吸引力によるトルクを伝達する歯形磁性体を備える低トルク入力手段を形成する継鉄回転体と、前記同一回転軸心で回転し、前記出力回転手段に設けたクラッチ突起と係合する咬合クラッチのクラッチ係合部を有する高トルク入力手段を備え、
前記クラッチ突起は磁性体からなり、前記クラッチ係合部は前記クラッチ突起が磁力によって吸着するクラッチ保持磁性体を有し、前記磁極回転体と前記低トルク入力手段間で伝達可能なトルクを上まわる負荷トルクが作用することで、前記クラッチ突起が前記クラッチ保持磁性体に吸着することを特徴とする。
【０００７】
また、前記歯形磁性体の列の前記高トルク入力手段が配置された側の側方に、前記継鉄回転体に取着された中空円板状の側部磁性体を備え、前記高トルク入力手段の前記クラッチ係合部には、高トルク入力手段の正転時に前記クラッチ突起と係合する正転時トルク伝達側面と、逆転時に前記クラッチ突起と係合する逆転時トルク伝達側面を有することを特徴とする。
【０００８】
また、前記クラッチ保持磁性体は、前記正転時トルク伝達側面と逆転時トルク伝達側面の中間部に、前記クラッチ突起と前記クラッチ保持磁性体間の磁力による吸着力を減少する咬合クラッチ離脱部を有することを特徴とする。
【０００９】
また、前記咬合クラッチ離脱部は、クラッチ保持磁性体の中央部に設けられ、前記クラッチ突起とクラッチ保持磁性体との磁力による吸着力を低減するクラッチ離脱用傾斜面であることを特徴とする。
【００１０】
また、前記咬合クラッチ離脱部は、前記クラッチ突起と当接してクラッチ突起とクラッチ保持磁性体との磁力による吸着を離脱させる咬合クラッチ離脱用突起であることを特徴とする。
【００１１】
また、前記クラッチ係合部は、前記正転時トルク伝達側面と前記咬合クラッチ離脱部間、または逆転時トルク伝達側面と前記咬合クラッチ離脱部間のいずれか一方に前記クラッチ保持磁性体を配置したことを特徴とする。
【発明の効果】
【００１２】
本発明によると、円周上に列設された磁極を有し、端部に咬合クラッチのクラッチ突起を備える出力回転手段を形成する磁極回転体と、前記磁極回転体と同一回転軸心で回転し、前記磁極と歯先が対向するように列設される歯形形状部を有し、前記磁極回転体と磁気吸引力によるトルクを伝達する歯形磁性体を備える低トルク入力手段を形成する継鉄回転体と、前記同一回転軸心で回転し、前記出力回転手段に設けたクラッチ突起と係合する咬合クラッチのクラッチ係合部を有する高トルク入力手段を設けた構成としたので、予め設定した回転トルクを上回る負荷トルクが出力回転手段と低トルク回転手段間に作用すると、出力回転手段が回転軸心方向に所定量スライドして、回転トルクの伝達を出力回転手段と低トルク回転手段の経路から、出力回転手段と高トルク回転手段の経路に簡単な構成で切り換えることが可能となり、装置の小形化、クラッチ切換えの確実性、及び製品コストを低減でき、また、前記出力回転手段と前記高トルク入力手段を咬合クラッチによって係合するようにしたので、高トルク回転手段への伝達切り換えを簡単確実に行うことができるという効果を有し、さらに、高トルク入力手段のクラッチ係合部にクラッチ保持磁性体を設けたので、クラッチ突起がクラッチ保持磁性体に吸引されるため、咬合クラッチの係合動作を迅速かつ確実に行うことができ、また、磁力によって吸着されたクラッチ突起はクラッチ保持磁性体に吸着されているため、クラッチ戻りの発生を防止することができる。
【００１３】
また、前記歯形磁性体の列の前記高トルク入力手段が配置された側の側方に、前記継鉄回転体に取着された中空円板状の側部磁性体を備えたので、負荷トルクの増加に伴い、出力回転手段を高トルク手段方向にスライドさせて、クラッチ突起をクラッチ係合部に係合させて、低負荷伝達から高負荷伝達に確実に切り替えることが出来る。また、高トルク入力手段は、正転時トルク伝達側面と逆転時トルク伝達側面をそれぞれ有しているので、正転操作時と逆転操作時それぞれの操作に適切なクラッチ係合を適宜選択可能と出来る。また、クラッチ保持磁性体に咬合クラッチ離脱部を設けたので、出力回転手段と高トルク入力手段間のトルクが減少した時に、出力回転手段を高トルク入力手段から低トルク入力手段に切換える動作を、高トルク入力手段を逆転させることで、クラッチ保持磁性体に保持されたクラッチ突起を咬合クラッチ離脱部に相対移動させ、クラッチ突起とクラッチ保持用磁性体との吸着力を低減し、磁極と歯形磁性体の歯形形状部間に働く磁力によって、出力回転手段を高トルク入力手段から低トルク入力手段への伝達に切換え、円滑に低負荷を伝達するモードにクラッチを切換えることができる。
【００１４】
また、高トルク入力手段のクラッチ係合部の正転時トルク伝達側面と逆転時トルク伝達側面の中間部に、咬合クラッチ離脱用突起を設けたので、前記出力回転手段が高トルク入力手段から低トルク入力手段への切換え動作を、高トルク入力手段をそれまでの回転方向とは逆方向に回転させることで、クラッチ突起を前記咬合クラッチ離脱用突起に当接させ、咬合クラッチをクラッチ保持磁性体から離脱させるので、出力回転手段を高トルク入力手段から低トルク入力手段へ確実に切換え、円滑に低負荷を伝達するモードに切換えることができる。また、正転時トルク伝達側面と咬合クラッチ離脱部間、または逆転時トルク伝達側面と咬合クラッチ離脱部間のいずれか一方に前記クラッチ保持磁性体を配置したので、正転操作時、または逆転操作時のいずれか一方の操作時にのみ咬合クラッチ保持機能を発揮し、他方の操作時では咬合クラッチ保持機能は発揮せず、所定負荷トルク以下になったらトルクの伝達経路が低負荷トルク伝達経路に自動的に切り替わるように適宜用途に応じて選択出来る。
【図面の簡単な説明】
【００１５】
【図１】本発明の負荷感応型磁気クラッチ装置の全体構成図。
【図２】図１の低トルク入力手段、継鉄回転体、側部磁性体及び磁極回転体を示す拡大構成説明図。
【図３】図１の高トルク入力手段を示す拡大構成説明図。
【図４】（ａ）  低負荷を伝達する状態（低負荷伝達モード）を示す説明図、（ｂ）低トルク入力手段、継鉄回転体、側部磁性体、磁極回転体、クラッチ突起を示す拡大構成説明図。
【図５】（ａ）  高負荷を伝達する状態（高負荷伝達モード）を示す説明図、（ｂ）低トルク入力手段、継鉄回転体、側部磁性体、磁極回転体、クラッチ突起を示す拡大構成説明図。
【図６】クラッチ離脱用傾斜面を示す構成説明図。
【図７】クラッチ離脱用突起を示す構成説明図。
【図８】クラッチ離脱用突起を示す構成説明図。
【発明を実施するための形態】
【００１６】
以下、本発明の実施の形態を説明する。
【００１７】
図１において、１は後記する回転トルク入力手段６に固設された非磁性の中空軸状の入力部材、２は回転トルク入力手段６に連結された高トルク入力手段、３は高トルク入力手段２に設けられた咬合クラッチのトルク伝達用係合部を構成する係合凹部で、後記する咬合クラッチのクラッチ突起１６と係合する係合凹部（クラッチ係合部）からなり、図３に示す、高トルク入力手段２の正転時にクラッチ突起１６と係合する正転時トルク伝達側面３ａと逆転時にクラッチ突起１６と係合する逆転時トルク伝達側面３ｂを有する。４は前記係合凹部３の凹部底面に設けられ、後記するクラッチ突起１６を吸着するクラッチ保持磁性体である。クラッチ突起１６は永久磁石１５によって励磁される強磁性体からなり、後記するクラッチ切換動作でクラッチ突起１６が高トルク入力手段２の係合凹部３側に移動すると、クラッチ保持磁性体４に吸着し、保持される。クラッチ突起１６とクラッチ保持磁性体は、吸着状態において両者が密着することなくエアギャップを有した状態で吸着されることが好ましい。クラッチ保持磁性体４は、図８に示すように、正転時トルク伝達側面３ａと逆転時トルク伝達側面３ｂのどちらか片側のみに配置されるが、操作する負荷の種類に応じて図６または図７に示すように正転時トルク伝達側面３ａと逆転時トルク伝達側面の両側にクラッチ保持磁性体４ａ、４ｂを配置することもできる。高トルク入力手段２はクラッチ保持磁性体４以外は、非磁性体で構成されている。
【００１８】
次に高トルク入力手段とクラッチ保持磁性体の形態について説明する。図６において、４ａは中央部（クラッチ離脱部３ｃ）にクラッチ離脱用傾斜面４ａ１を有するクラッチ保持磁性体で、高負荷を伝達するモードから低負荷を伝達するモードにクラッチを切換える動作時に、前記クラッチ離脱用傾斜面４ａ１でクラッチ突起１６の先端とクラッチ保持磁性体４ａのエアギャップを両者を相対回転させることで除々に大きくし、クラッチ突起１６をクラッチ保持磁性体４ａとの吸着力を解消する位置に容易に移動できるようにする作用を有する。前記クラッチ離脱用傾斜面４ａ１は、後記する出力回転手段１７の磁極回転体１４と継鉄回転体１２間に作用する負荷トルクが高負荷トルクから低負荷トルクに減少した時、出力回転手段１７を高トルク入力手段２から低トルク入力手段１１へのトルク伝達に切換える際に、図６に示すように、高トルク入力手段２をそれまでの回転方向とは逆の方向に回転させることで、正転動作時では、正転トルク伝達側面３ａ側のクラッチ保持磁性体４ａに吸着されているクラッチ突起１６を正転時トルク伝達側面３ａから逆転時トルク伝達側面３ｂ側に相対移動させ、この移動時に、クラッチ突起１６の先端とクラッチ保持磁性体４ａの間隔は、前記クラッチ離脱用傾斜面４ａ1で拡大し、クラッチ突起１６とクラッチ保持磁性体４ａとのエアギャップを増大させ、クラッチ保持用磁性体４ａとの吸着力が解消されることでクラッチは戻り、磁気クラッチを低負荷伝達モードに切換える作用を有する。同様に逆転操作時では、逆転時トルク伝達側面３ｂ側のクラッチ保持磁性体４ｂに吸着されているクラッチ突起１６を逆転時トルク伝達側面から正転時トルク伝達側面方向に移動させ、この移動時に、クラッチ突起１６の先端とクラッチ保持磁性体４ｂの間隔は離脱用傾斜面４ｂ１で拡大し、クラッチ突起１６とクラッチ保持磁性体４ｂとのエアギャップを増大させ、クラッチ保持磁性体４ｂとの吸着力が解消されることでクラッチは戻り、磁気クラッチを低負荷伝達モードに切り替える作用を有する。１６ａは正転時トルク伝達側面３ａに当接しトルクを伝達するクラッチ突起を示す。
【００１９】
１６ｂは係合凹部３との係合が外れたクラッチ突起を示す。１６ｃは逆転時トルク伝達側面３ｂに当接しトルクを伝達するクラッチ突起を示す。
【００２０】
また、クラッチ切換後において、負荷トルクが増大するとクラッチ突起１６は再び係合凹部３にスライド移動し、回転操作方向に応じて正転時トルク伝達側面３ａ又は逆転時トルク伝達側面３ｂに当接して回転トルクを伝達する。
【００２１】
図７、図８において、５は前記係合凹部３の正転時トルク伝達側面３ａと逆転時トルク伝達側面３ｂの中間部に設けられたクラッチ離脱用突起で、正転離脱用傾斜面５ａと逆転離脱用傾斜面５ｂを有する。前記クラッチ離脱用突起５は図７、８に示すように、高トルク入力手段２をそれまでの回転方向と逆方向に回転操作することで、クラッチ突起１６をクラッチ離脱用突起５方向に相対移動させ、この移動によって、クラッチ保持用磁性体４に吸着されているクラッチ突起１６は離脱用突起５の正転離脱用傾斜面５ａ又は逆転離脱用斜面５ｂに当接し、クラッチ突起１６をクラッチ保持磁性体４から離脱させる作用を有する。１６ａは正転時トルク伝達側面３ａに当接しトルクを伝達するクラッチ突起を示す。１６ｂはクラッチ保持磁性体４との係合が外れたクラッチ突起を示す。１６ｃは逆転時トルク伝達側面３ｂに当接しトルクを伝達するクラッチ突起を示す。
【００２２】
クラッチ突起１６は一旦係合凹部３から離脱しても、磁力によって伝達可能なトルクを上まわる負荷トルクが作用すると再び係合凹部３内にスライド移動し、回転操作方向に応じて正転時トルク伝達側面３ａまたは逆転時トルク伝達側面３ｂに当接して回転トルクを伝達する。  
【００２３】
次に、本発明の負荷感応型磁気クラッチ装置の全体構成について説明する。図１〜図５において、６は回転トルク入力手段で、入力部材１と高トルク入力手段２に連結手段で固設され、高トルク入力手段２と共に外周フレーム２０に軸受け１９ｅで回転可能に軸支されている。図１では、手動チェーンブロックに使用されるハンドホイールを例示しているが、平ベルト用プーリーや、歯車などトルクを入力する手段であれば何でも良い。
【００２４】
７は増速機構として作用する遊星歯車機構、７ａは入力部材１に連結されたプラネタリキャリア、７ｂはプラネタリキャリア７ａと対をなすプラネタリキャリア、７ｃはプラネタリキャリア７ａ、７ｂに回転可能に軸支されたプラネタリギヤ、７ｄはプラネタリキャリア７ａ、７ｂに植設されたプラネタリギヤ軸でプラネタリギヤ７ｃを軸受けで軸支している、８はプラネタリギヤ７ｃが内接咬合するリングギヤ、９は太陽ギヤ軸１０に設けられた太陽ギヤ、１０は増速機構の出力軸である太陽ギヤ軸である。プイラネタリギヤ７ｃは太陽ギヤ９と外接噛合し、前記リングギヤ８と内接噛合し、プラネタリキャリア７ａの回転を増速し、太陽ギヤ軸１０を増速回転する。
【００２５】
１１は太陽ギヤ軸に連結され、回転トルク入力手段６に対し遊星歯車機構の増速比で高速回転する低トルク入力手段、１１ａは低トルク入力手段のボス部である。
【００２６】
低トルク入力手段１１は軸受け１９ｂを介して、前記ボス部１１ａを出力回転手段１７のボス部１７ａの外周に対して回転及び軸方向にスライド可能に軸受されている。
【００２７】
１２は継鉄回転体で、低トルク入力手段１１のボス部１１ａの外周に備えられ円周上に２列に列設された複数の歯先を有する歯形形状継鉄（歯形形状磁性体）１２ａ、１２ａを備える。前記継鉄回転体１２は軟磁性体が好ましい。１３ａは一方の歯形形状継鉄１２ａの側面で低トルク入力手段１１のボス部１１ａに外挿されたドーナツ円板状の側部磁性体、１３ｂは他方の歯形形状継鉄１２ａの側面で低トルク入力手段１１のボス部１１ａに外挿されたドーナツ円板状の側部磁性体である。
【００２８】
１４は円周上に２列に列設された磁極１４ａ、１４ａを有する磁極回転体である。磁極１４ａは歯形形状継鉄１２ａの歯先の列の外周に対向配置されている。１５は前記１対の磁極１４ａ、１４ａ間に設けられたドーナツ円板状の永久磁石で、一方の側面がＮ極、他方の側面がＳ極となっている。磁極１４ａ、１４ａはドーナツ円板状の永久磁石１５の側面に固着され、各磁極１４ａ、１４ａの内周には複数の歯形形状部１４ｂ、１４ｂが列設され、永久磁石１５によって歯形形状部１４ｂの歯先にＮ極又はＳ極が励磁されている。前記磁極回転体１４、永久磁石１５は出力回転手段１７に固設されている。
【００２９】
１６は強磁性体からなり係合凹部３と係脱することで咬合クラッチを構成するクラッチ突起である。クラッチ突起１６は永久磁石１５によって励磁されるように出力回転手段１７の磁極回転体１４の側面から係合凹部３に向かって突出して設けられ、高負荷時に前記高トルク入力手段２に設けた係合凹部３に係合し、クラッチ保持磁性体４にエアギャップを有して吸着する。
【００３０】
１７は前記永久磁石１５を有する前記磁極回転体１４及びクラッチ突起１６を備えた出力回転手段、１７ａは出力回転手段１７のボス部である。出力回転手段１７のボス部１７ａの内周にはスプライン１７ｂが設けられており、出力軸１８に設けたスプライン１８ａとスプライン結合しており、出力軸１８と同一回転軸心１８ｂで回転し、出力回転手段１７から出力軸１８に回転トルクを伝達するとともに、出力回転手段１７を出力軸１８の軸方向にスライド可能に支持する。出力回転手段１７は、磁極回転体１４、永久磁石１５、クラッチ突起１６以外の材質は、非磁性体にて構成されている。
【００３１】
１９ａは出力軸１８に外挿され高トルク入力手段２と共に回転トルク入力手段６を軸支する軸受け、１９ｂは出力回転手段１７のボス部１７ａに外挿され低トルク入力部材１１を軸支する軸受け、１９ｃはプラネタリキャリア７ａと共に入力部材１を軸支する軸受け、出力軸１８は軸受け１９ｄ、１９ｅでフレームに軸支されている。２０は外周フレームである。
【００３２】
次に、本発明の磁気クラッチ機構の切換動作について説明する。
【００３３】
図４（ａ）（ｂ）に示すクラッチが低負荷を伝達する状態では、低トルク入力手段１１の歯形形状継鉄１２ａの歯型形状部の歯先と出力回転手段１７に設けた磁極１４ａの歯型形状部１４ｂの歯先が対向した状態にあり、永久磁石１５で励磁された磁極１４ａの歯形形状部１４ｂと低トルク入力手段１１に設けた歯形形状継鉄１２ａは、両者の歯型形状部の歯先間のエアギャップを介して磁気回路を形成し、両回転手段間に強力な磁気吸引力が発生する。
【００３４】
この状態においては、磁極１４ａと歯形形状継鉄１２ａ間の磁力による回転軸心方向の吸引力は、磁極１４ａと側部磁性体１３ａ、１３ｂの磁力による回転軸心方向の吸引力と釣合い状態にあり、歯形形状継鉄１２ａと磁極１４ａは、回転軸心方向に対する機械的規制手段（ストッパ）を必要とせず、磁力によって図４（ａ）に示す状態を維持し、歯形形状継鉄１２ａから磁極１４ａにトルクを伝達し、歯形形状継鉄１２ａは磁極１４ａを低トルク入力手段１１と同速で回転する。これによって、出力回転手段１７は回転トルク入力手段６に比して高速で回転する。
【００３５】
次に、負荷トルクが増大し、負荷トルクが歯形形状継鉄１２ａと磁極１４ａの磁気吸引力を越えると、低トルク入力手段１１と出力回転手段１７は相対回転し、磁極１４ａと歯形形状継鉄１２ａの両者の歯形形状部の歯先間に形成されていた磁気回路が側部磁性体１３ａ、１３ｂを流れる磁気回路に変位するため、磁極１４ａと歯形形状継鉄１２ａ間の磁力による吸引力の回転軸心方向の分力は減少する。一方、磁極１４ａと側部磁性体１３ａ、１３ｂの磁力による吸引力の回転軸心方向の分力は増加する。この磁極１４ａと側部磁性体１３ａ、１３ｂの磁力による吸引力の回転軸心方向の分力が磁極１４ａと歯形形状継鉄１２ａ間の磁力による吸引力の回転軸心方向の分力より増加することにより、磁極１４ａは回転軸心方向にスライドし、磁極１４ａと歯形形状継鉄１２ａの相対位置が変位して、図５（ａ）に示すように、磁極１４ａの歯形形状部と側部磁性体１３ａ、１３ｂ間で磁気回路を形成し、クラッチ突起１６は回転トルク入力手段６と同じ速度で回転する高トルク入力手段２の係合凹部３に係合し、クラッチ保持磁性体４に吸着して高負荷低速回転に切換えられる。
【００３６】
歯形形状継鉄１２ａと磁極１４ａが相対回転している時には、両者間に働く磁気吸引力は相当量減少するので、その差を利用して、クラッチ突起１６とクラッチ保持磁性体４との間隔を小さく設定し、クラッチ突起１６とクラッチ保持磁性体４間に働く回転軸心方向の磁気吸引力を、歯形形状継鉄１２ａと磁極１４ａが相対回転している時に歯形形状継鉄１２ａと磁極１４ａ間に働く回転軸心方向の磁気吸引力より大きく設定することが出来るので、側部磁性体１３ａ、１３ｂは必ずしも必要としない。しかし、確実な切り替え動作、及び回転軸心方向のスライド量を大きく設定するには、側部磁性体１３を備えることが好ましい形態である。
【００３７】
磁極１４ａがスライドし、側部磁性体１３ａ、１３ｂと対向した状態で回転すると、クラッチ突起１６は高トルク入力手段２の係合凹部３の正転時トルク伝達側面３ａ、又は逆転時トルク伝達側面３ｂと係合し、クラッチ突起１６はクラッチ保持磁性体４に吸着し、出力回転部材１７は高トルク入力手段２と一体となって同速で回転する。
【００３８】
この高負荷回転時においても、磁極１４ａと歯形形状継鉄１２ａは連続して相対的に回転し、磁極１４ａの歯形形状部１４ｂと歯形形状継鉄１２ａの歯型形状部が対向した状態時に、磁極１４ａと歯形形状継鉄１２ａの歯型形状部間に最大のスラスト力が発生し、磁極１４ａの山（歯先）と歯形形状継鉄１２ａの谷（歯底）が対向した時にスラスト力は最小となる。
【００３９】
次に、負荷が所定トルク以下に減少すると、磁極１４ａと歯形形状継鉄１２ａの両者の歯形形状部の歯先同志が磁力で引き合い円周方向で歯先の位置が一致し向き合い、磁極１４ａと側部磁性体１３ａ、１３ｂ間に形成されていた磁気回路が歯形形状継鉄１２ａの歯型形状部の歯先を流れる磁気回路に切り替わるので、磁極１４ａと歯形形状継鉄１２ａの磁力による吸引力の回転軸心方向の分力が増加し、磁極１４ａと側部磁性体１３ａ、１３ｂの磁力による吸引力の回転軸心方向の分力は減少し、磁極１４ａと歯形形状継鉄１２ａの磁力による吸引力の回転軸心方向の分力が前記磁極１４ａと側部磁性体１３ａ、１３ｂの磁力による吸引力の回転軸心方向の分力を上回るため、戻しのスラスト力が発生し、磁極１４ａは低トルク入力手段１１の歯形形状継鉄１２ａと対向する位置にスライドし、低負荷モードに戻ろうとするが、クラッチ突起１６はクラッチ保持磁性体４と磁力によって吸着されているので、咬合クラッチの係合は維持されている。
【００４０】
この高負荷伝達モードから低負荷伝達モードへ切換える時に、回転トルク入力手段６によって高トルク入力手段２をそれまでの回転方向と逆の方向に回転させることで、図６に示すように、高トルク入力手段２に設けた係合凹部３の正転時トルク伝達側面３ａに当接しているクラッチ突起１６ａを逆転時トルク伝達側面３ｂに当接しているクラッチ突起１６ｂにクラッチ突起１６の相対位置を移動させ、このクラッチ突起１６の移動動作時に、クラッチ突起１６の先端とクラッチ保持磁性体４ａ間の間隔はクラッチ離脱用傾斜面４ａ１により徐々に拡大するので、クラッチ突起１６の先端とクラッチ保持磁性体４ａのエアギャップは増大し、クラッチ突起１６と保持用磁性体４ａとの吸着力（保持力）は低減し、磁極回転体１４は磁極１４ａが低トルク入力手段１１の歯形形状継鉄１２ａに吸引され対向する位置にスライドし、低負荷伝達モードに切り換わる。
【００４１】
また、図７、図８に示すように、正転時トルク伝達側面３ａと逆転時トルク伝達側面３ｂの中間部に咬合クラッチ離脱用突起５を設けると、高トルク入力手段２を回転トルク入力手段６によって、それまでの回転方向と逆方向に回転させることで、図７及び図８に示すように、クラッチ突起１６を高トルク入力手段２に設けた係合凹部３の正転時トルク伝達側面３ａから逆転時トルク伝達側面３ｂに移動させ、この移動動作時に、クラッチ突起１６はクラッチ離脱用突起５の正転離脱用傾斜面５ａに当接し、傾斜面でガイドされクラッチ保持磁性体４から離脱させ、磁極回転体１４は磁極１４ａが低トルク入力手段１１の歯形形状継鉄１２ａと対向する位置にスライドし、低負荷伝達モードに切換わり、出力軸１８は回転トルク入力手段６に比して高速で回転する。
【００４２】
以上の通り、本発明によると、出力回転手段１７の磁極１４ａに付加される負荷により、出力回転手段１７に設けた磁極１４ａと低トルク入力手段１１に設けた歯形形状継鉄１２ａとが相対回転した時に、永久磁石１５の磁力によって発生するスラスト力を利用して、磁極１４ａを回転軸方向にスライドすることで出力回転手段１７を高トルク入力手段２に、クラッチ突起１６と係合凹部３からなる咬合クラッチによって連結する構成としているので、従来公知の装置において必要としていた別体としてのスラスト変換機構を設ける必要がないため、部品点数が少なく、構造が簡単で、小型・軽量化が可能となり、製品コストを大幅に削減することができ、また、高負荷時には、磁極１４ａと歯形形状継鉄１２ａの相対回転により発生するスラスト力により、磁極１４ａに設けたクラッチ突起１６を高トルク入力手段２に係合する構成としているので、高負荷時においても、動力伝達を正確に行うがことができ、かつクラッチの切換えをハイレスポンスに行うことができる。
【００４３】
さらに、高トルク入力手段２のトルク伝達用係合部３にクラッチ保持磁性体４を設けたので、出力回転手段１７が低トルク入力手段１１から高トルク入力手段２に切換える動作時、クラッチ突起１６がクラッチ保持磁性体４に吸引されるため、クラッチ突起１６による切換え動作を迅速かつ確実に行うことができ、また、高負荷伝達モードにおける操作時、クラッチ突起１６は常時クラッチ保持磁性体４に吸着されているため、クラッチに作用する負荷の変動によりクラッチ戻りの発生を防止することができる。また、クラッチ保持磁性体４にクラッチ突起１６との離脱用傾斜面４ａ１、４ｂ１を設けたので、出力回転手段１７と高トルク入力手段２間のトルクが減少し、出力回転手段１７を高トルク入力手段２から、低トルク入力手段１１への伝達に伝達経路を切換える操作を、高トルク入力手段２をそれまでの回転方向とは逆方向に回転させることで、クラッチ突起１６を正転時トルク伝達側面３ａまたは逆転時トルク伝達側面３ｂから離反する方向に移動させ、この移動動作時に、クラッチ突起１６の先端とクラッチ保持磁性体４の間隔は前記離脱用傾斜面４ａ１及び４ｂ１によりエアギャップが徐々に増大するので、円周方向の磁力は発生せずクラッチ突起１６と保持用磁性体４との吸着力は低減し、出力回転手段１７を高トルク入力手段２から低トルク入力手段１１への伝達位置に切換え、円滑に低負荷伝達（高速）モードに切換えることができる。
【００４４】
また、トルク伝達用係合部３の正転時トルク伝達側面３ａと逆転時トルク伝達側面３ｂの中間部に、クラッチ離脱用突起５を設けたので、前記出力回転手段１７が高トルク入力手段２から低トルク入力手段１１への伝達に伝達経路を切換える操作を、高トルク入力手段２をそれまでの回転方向とは逆の方向に回転させることで、クラッチ突起１６を正転時トルク伝達側面３ａまたは逆転時トルク伝達側面３ｂ側から離反する方向に移動させ、この移動動作時に、クラッチ突起１６は前記クラッチ離脱用突起５に当接し、クラッチ突起１６をクラッチ保持磁性体４から離反させるので、出力回転手段１７を高トルク入力手段２から低トルク入力手段１１への伝達位置に切換え、円滑に低負荷伝達（高速）モードに切換えることができる。
【符号の説明】
【００４５】
１  入力部材
２  高トルク入力手段
３  係合凹部
３ａ  正転時トルク伝達側面
３ｂ  逆転時トルク伝達側面
３ｃ  咬合クラッチ離脱部
４  クラッチ保持磁性体
４ａ  クラッチ離脱用傾斜面
５  クラッチ離脱用突起
５ａ  正転離脱用傾斜面
５ｂ  逆転離脱用傾斜面
６  回転トルク入力手段
１１  低トルク入力手段
１２  継鉄回転体
１２ａ  歯形形状継鉄
１３  側部磁性体
１４  磁極回転体
１４ａ  磁極
１４ｂ  歯形形状部
１６  クラッチ突起
１７  出力回転手段
１８  出力軸
１８ｂ  回転軸心
【図１】
0005342524.tif 000002
【図２】
0005342524.tif 000003
【図３】
0005342524.tif 000004
【図４】
0005342524.tif 000005
【図５】
0005342524.tif 000006
【図６】
0005342524.tif 000007
【図７】
0005342524.tif 000008
【図８】
0005342524.tif 000009